(57)【要約】【課題】  蓋がクッションの効果が得られて緩やかに桶体に蓋されるようにすることを課題とする。【解決手段】  桶体１０と、蓋２０と、クッション装置３０とを有する。桶体の頂端一側には連接台１４が設置してある。蓋は桶体に枢設され、かつその桶体に相対してスイングして桶体を蓋することができ、その蓋の一側には枢接台２１が設けられ、その枢接台は桶体の連接台１４に枢設される。クッション装置３０は桶体１０の連接台１４と蓋２０の枢接台２１の間に設けられ、蓋はクッションの効果が得られて緩やかに桶体に蓋される。【選択図】  図１
2006321588.tif 000002
【特許請求の範囲】
【請求項１】
頂端の一側に連接台が設置されている桶体と、
該桶体に枢設され、且つ、該桶体に相対してスイングして桶体を蓋する蓋とを有し、
該蓋は、その一側に枢接台が設けられ、該枢接台が桶体の連接台に枢設してあり、
更に、桶体の連接台と蓋の枢接台の間に設けられ、蓋は緩やかに桶体に蓋することができてクッションの効果が得られるクッション装置を有する構成としたことを特徴とするクッション装置を備えたごみ桶。
【請求項２】
請求項１に記載のごみ桶において、
前記連接台の頂端には凹溝が設けられ、凹溝の両側にはそれぞれ凹孔が設けられてあり、その枢接台の底端両側には二つの枢部が設けられ、その枢部は桶体の連接台の凹孔に枢接される構成としたことを特徴とするクッション装置を備えたごみ桶。
【請求項３】
請求項１に記載のごみ桶において、
前記連接台の頂端両側にはそれぞれ容置孔が設けられ、その容置孔はクッション装置の設置に供される構成としたことを特徴とするクッション装置を備えたごみ桶。
【請求項４】
請求項３に記載のごみ桶において、
前記枢接台の底端両側にはそれぞれ当接部が設けられ、その当接部の位置は連接台の容置孔に相対し、そのクッション装置に当接してある構成としたことを特徴とするクッション装置を備えたごみ桶。
【請求項５】
請求項４に記載のごみ桶において、
前記当接部は、柱状である構成としたことを特徴とするクッション装置を備えたごみ桶。
【請求項６】
請求項４に記載のごみ桶において、
前記当接部は、リブ状シートである構成としたことを特徴とするクッション装置を備えたごみ桶。
【請求項７】
請求項４に記載のごみ桶において、
前記当接部は、平面である構成としたことを特徴とするクッション装置を備えたごみ桶。
【請求項８】
請求項１に記載のごみ桶において、
前記クッション装置は、本体と、該本体内に設置されるばねと、該本体内において軸方向に移動できるバルブと、該本体を被せる覆いと、該覆いを貫き通る頂棒とを有する構成としたことを特徴とするクッション装置を備えたごみ桶。
【請求項９】
請求項８に記載のごみ桶において、
前記本体は、一端が開放された瓶状である構成としたことを特徴とするクッション装置を備えたごみ桶。
【請求項１０】
請求項９に記載のごみ桶において、
前記バルブは、その一端がばねに接触し、他端が頂棒に当接している構成としたことを特徴とするクッション装置を備えたごみ桶。
【請求項１１】
請求項１０に記載のごみ桶において、
前記バルブは、阻止環が設けられ、前記バルブと前記本体間の隙間を更に狭くする構成としたことを特徴とするクッション装置を備えたごみ桶。
【請求項１２】
請求項１１に記載のごみ桶において、
前記覆いは、閉鎖部材によってＯ−リングを該覆い内に制限している構成としたことを特徴とするクッション装置を備えたごみ桶。
【請求項１３】
請求項１２に記載のごみ桶において、
前記頂棒は、前記覆いと前記閉鎖部材を貫き通って一端は前記バルブに接触し、他端は前記本体の外へ延び出して軟質キャップが取り付けてある構成としたことを特徴とするクッション装置を備えたごみ桶。
【請求項１４】
請求項１３に記載のごみ桶において、
前記本体は、その内部に粘性を有する液体が入れてある構成としたことを特徴とするクッション装置を備えたごみ桶。
【請求項１５】
請求項８に記載のごみ桶において、
前記クッション装置は、更に本体外に嵌め付けられる嵌め付け部材を有する構成としたことを特徴とするクッション装置を備えたごみ桶。
【請求項１６】
請求項１５に記載のごみ桶において、
前記本体は、略筒状であり、一端は開放され、他端には孔が設けられ、該孔内にはスチール・ボールが取り付けられて、該本体は閉鎖状に形成された構成としたことを特徴とするクッション装置を備えたごみ桶。
【請求項１７】
請求項１６に記載のごみ桶において、
前記バルブは、その一端がばねに接触し、他端が頂棒に当接している構成としたことを特徴とするクッション装置を備えたごみ桶。
【請求項１８】
請求項１７に記載のごみ桶において、
前記頂棒は、覆いを貫き通って一端はバルブに接触し、他端は本体の外へ伸び出している構成としたことを特徴とするクッション装置を備えたごみ桶。
【請求項１９】
請求項１８に記載のごみ桶において、
前記覆いと前記バルブの間にはストッパーが設けてある構成としたことを特徴とするクッション装置を備えたごみ桶。
【請求項２０】
請求項１９に記載のごみ桶において、
前記嵌め付け部材は、本体外に嵌め付けられ、かつ前記頂棒は嵌め付け部材内に上押しすることができる構成としたことを特徴とするクッション装置を備えたごみ桶。
【請求項２１】
請求項２０に記載のごみ桶において、
前記本体の嵌め付け部材とは反対側の端にはパッキンが設けられてある構成としたことを特徴とするクッション装置を備えたごみ桶。
【請求項２２】
請求項２１に記載のごみ桶において、
前記本体は、その内部に粘性を有する液体が入れてある構成としたことを特徴とするクッション装置を備えたごみ桶。
【請求項２３】
請求項１に記載のごみ桶において、
前記クッション装置は、本体と、該本体内に設置されるばねと、該本体内において軸方向に移動することができる上押し部材とを有する構成としたことを特徴とするクッション装置を備えたごみ桶。
【請求項２４】
請求項２３に記載のごみ桶において、
前記本体は、略筒状であり、その一端は開放状であり、他端には気孔が設けられて微量の空気の流通に供される構成としたことを特徴とするクッション装置を備えたごみ桶。
【請求項２５】
請求項２４に記載のごみ桶において、
前記上押し部材は、その一端が位置決めブロックによってばねに接触し、他端が本体の外に伸び出している構成としたことを特徴とするクッション装置を備えたごみ桶。
【請求項２６】
請求項２５に記載のごみ桶において、
前記上押し部材は、前記本体の外へ伸び出す一端に、パッキンが設けてある構成としたことを特徴とするクッション装置を備えたごみ桶。
【請求項２７】
請求項１に記載のごみ桶において、
前記桶体の底端には底台が設けられ、桶体前縁の底台に近い個所にはペダルが設けられ、そのペダルは使用者の踏みつけに供される構成としたことを特徴とするクッション装置を備えたごみ桶。
【請求項２８】
請求項２７に記載のごみ桶において、
前記枢接台の底端には引きずり部が突き出して設けられ、その引きずり部はペダルと連接される連接棒に接続し、ペダルが踏まれると蓋が開けられる構成としたことを特徴とするクッション装置を備えたごみ桶。
【請求項２９】
請求項２に記載のごみ桶において、
前記蓋の枢部と桶の凹孔は取っ手によって一緒に枢設される構成としたことを特徴とするクッション装置を備えたごみ桶。
【請求項３０】
請求項１に記載のごみ桶において、
前記クッション装置には回転ホイールとラックが含まれ、その回転ホイールの外周には歯形が設けられてラックと互いに噛み合うことができる構成としたことを特徴とするクッション装置を備えたごみ桶。
【請求項３１】
請求項３０に記載のごみ桶において、
前記回転ホイールは、桶体の連接部に取り付けられ、そのラックは蓋の枢接台の下側から伸び出している構成としたことを特徴とするクッション装置を備えたごみ桶。
【請求項３２】
請求項３０に記載のごみ桶において、
前記回転ホイールは、その内部に粘性を有する液体が入れてある構成としたことを特徴とするクッション装置を備えたごみ桶。
【請求項３３】
請求項３０に記載のごみ桶において、
前記ラックは、弧形である構成としたことを特徴とするクッション装置を備えたごみ桶。
【請求項３４】
請求項３０に記載のごみ桶において、
前記ラックと枢接台の間には壁面が設けてある構成としたことを特徴とするクッション装置を備えたごみ桶。
【発明の詳細な説明】
【技術分野】
【０００１】
本発明はクッション装置を備えたごみ桶に関する。
【背景技術】
【０００２】
図２２は従来の足踏み型ごみ桶を示す。この足踏み型ごみ桶は中華民国特許公報第５７６４２７番の「足踏み型ごみ桶のクッション装置」に記載されているものである。それの主要は桶体１の内側に支え棒５の上、下端をもって蓋３、４及びペダル７を連接する間にクッション部材９を設置する。そのクッション部材９は次のものを含む：桶体１の底台６に取り付けられる固体台９１、位置決め部材９２、歯車９３１があって並びに位置決め部材９２及び固体台９１と取り付け定位置される軸ブッシ９３、底端は底台６の通道６６を貫き通ってペダル７の別の枢軸７４と枢設定位置し、及び頂端は位置決め部材９２内にある歯状部材９４、及び二つのばね９５、そのばね９５の一端は支え棒５の適当な位置に定位置され、他端は底台６に形成される止め部６７に固定される。これによって蓋３、４には緩やかに蓋する機能を達成することができる。
その従来の構造は実用上に於いて依然多くの欠点があり、すなわちペダル７を踏むと蓋３，４の重さを克服する外、更にばね９５の張力を克服しなければ支え棒５を上昇させて蓋３，４を押し開けることができなく、使用上かなり力を費やす。またペダル７を放すと蓋３，４の自重とそのばね９５の張力は支え棒５を迅速に下落させ、この下落の力は歯車９３１のブッシュ９３と歯状部材９４の間の噛み合う関係だけで支え受け、長期的に繰り返し使用されると、そのブッシュ９３はますます緩くなってクッションの機能を失ってしまい、蓋３，４がごみ桶を蓋するときにはやかましい騒音が発生する。
この外、そのクッション部材９の構造は部品が多すぎ、かつ部品の間は互いにペダル７と底台６の間、及び底台６と支え棒５の間に連結しなければならなく、生産ラインの組み立て過程に於いて、手順が複雑であり、生産コストが高く、生産能力にも影響する。またそのクッション部材９の部品が壊れると、ごみ桶全体を取り外して部品の交換を行わなければならなく、実施上かなり面倒であるので通常はごみ桶全体を捨ててしまい、経済的効率に符合しなく、このような産業の利用に合致しない設計はまさに非実用的であるので改善する必要がある。
【特許文献１】中華民国特許公報第５７６４２７番
【発明の開示】
【発明が解決しようとする課題】
【０００３】
本発明『クッション装置を備えたごみ桶』が解決しようとする技術問題とは、その従来の構造はペダルを踏んだ場合、蓋の重さを克服する外、更にばねの張力を克服しなければ支え棒を上昇させて蓋を押し開けることができなく、使用上かなり力を費やすことになる。またペダルを放すと蓋の自重とそのばねの張力は支え棒を迅速に下落させ、この下落の力は歯車のブッシュと歯状部材間の噛み合う関係だけで支え受け、長期的に繰り返し使用されると、そのブッシュはますます緩くなってクッションの機能を失ってしまい、蓋がごみ桶を蓋するときにはやかましい騒音が発生する。この外、そのクッション部材の構造は部品が多すぎ、かつ部品の間は互いにペダルと底台の間、及び底台と支え棒の間に連結しなければならなく、生産ラインの組み立て過程に於いて、手順が複雑であり、生産コストが高く、生産能力にも影響する。またそのクッション部材の部品が壊れると、ごみ桶全体を取り外して部品の交換を行わなければならなく、実施上かなり面倒であるので通常はごみ桶全体を捨ててしまい、経済的効率に符合しない。これはごみ桶の使用寿命を短縮し、使用上極めて不便であり、改善する必要がある。
本発明の『クッション装置を備えたごみ桶』は桶体、蓋とクッション装置を含む。桶体の頂端一側には連接台が設置されてある。蓋は桶体に枢設され、かつその桶体に相対してスイングして桶体を蓋することができ、その蓋の一側には枢接台が設けられ、その枢接台は桶体の連接台に枢設される。クッション装置は桶体の連接台と蓋の枢接台の間に設けられ、蓋はクッションの効果が得られて緩やかに桶体に蓋することができ、それは極めて進歩性のある設計といえる。
【０００４】
本発明は、上記課題を解決したクッション装置を備えたごみ桶を提供することを目的とする。
【課題を解決するための手段】
【０００５】
本発明は、頂端の一側に連接台が設置されている桶体と、
該桶体に枢設され、且つ、該桶体に相対してスイングして桶体を蓋する蓋とを有し、
該蓋は、その一側に枢接台が設けられ、該枢接台が桶体の連接台に枢設してあり、
更に、桶体の連接台と蓋の枢接台の間に設けられ、蓋は緩やかに桶体に蓋することができてクッションの効果が得られるクッション装置を有する構成としたことを特徴とする。
【発明の効果】
【０００６】
蓋はクッションの効果が得られて緩やかに桶体に蓋することができる。
【発明を実施するための最良の形態】
【０００７】
次に本発明の実施の形態について説明する。
【実施例１】
【０００８】
図１は本発明の実施例１になるクッション装置を備えたごみ桶を分解して示し、図２はクッション装置を分解して示す。
【０００９】
図１に示すように、本発明のごみ桶は、桶体１０と、蓋２０と、クッション装置３０とを有する。クッション装置３０は桶体１０と蓋２０の間に設けられ、蓋２０はクッションの効果が得られて緩やかに桶体１０に蓋することができる。
【００１０】
桶体１０の底端には底台１１が設けられ、桶体１０の底台１１に近い個所にはペダル１２が設けられ、そのペダル１２は使用者の踏みつけに供される。桶体１０の頂端には端口１３が形成され、その桶体１０の後縁の端口１３に近い個所に連接台１４が設置され、その連接台１４の頂端には平台１５が形成され、その平台１５の中央には凹溝１６が設けられ、凹溝１６の両側にはそれぞれ凹孔１７が設けてある。平台１５の両側にはそれぞれ容置孔１８が設けてある。
【００１１】
蓋２０は桶体１０の端口１３に枢設され、かつその桶体１０に相対してスイングし、桶体１０の端口１３に蓋することができる。その蓋２０の一側には枢接台２１が設けられ、その枢接台２１の底端には二つの枢接部２２が設けられ、その枢接部２２は桶体１０の連接台１４の凹孔１７に枢設することができ、それによって蓋２０は桶体１０に相対してスイングすることができる。その枢接台２１の底端両側にはそれぞれ当接部２５が設けられ、その当接部２５の位置は桶１０の連接台１４の容置孔１８に相対し、その当接部２５は本実施例において柱状に現れる。蓋２０の枢接部２２と桶１０の凹孔１７は取っ手２９によって枢設される。
【００１２】
クッション装置は３０は桶体１０の連接台１４と蓋２０の枢接台２１の間に設けられ、それにはクッションの効果があり、蓋２０を緩やかに桶体１０に蓋することができる。
【００１３】
図２に示すように、クッション装置３０は、本体３１と、ばね３２と、バルブ３３と、覆い３４と、頂棒３５とを有する。その本体３１は一端が開放した瓶状の設計で、本体３１内には粘性を有する液体が入れられてあり、そのばね３２は本体３１内に設置されてある。バルブ３３はばね３２の一端と接触し、かつ本体３１内において軸方向に移動することができる。
【００１４】
バルブ３３の一端にはバルブ室３３３が設けられ（図４参照）、バルブ３３の外周縁には環溝３３２が形成され、その環溝３３２内にはバルブ室３３３に連通される横方向の流道３３１が設けられ（図４参照）、その流道３３１は滑り性液体を流すことに供される。バルブ３３の環溝３３２には止め環３９が設けられ、その止め環３９は本体３１と環溝３３２の間に局部的に接触し、バルブ３３の流道３３１に流れる滑り性液体の流量を制限するので、バルブ３３は本体３１内において緩やかに移動することができる。
【００１５】
覆い３４は本体３１の開放端に設置され、かつその覆い３４は閉鎖部材３６によってＯ−リング３７をその覆い３４内に制限する。頂棒３５は覆い３４に取り付けられており、その一端はバルブ３３に接触している。頂棒３５のバルブ３３とは反対側の端には軟質キャップ３８が取り付けてある。クッション装置３０に故障が発生した場合、直接その桶体１０の連接台１４に対してクッション装置３０の交換を行うことができ、交換はかなり便利であり、かつごみ桶全体の使用寿命を延ばすことができる。
【００１６】
図３及び図４は蓋２０を桶体１０に蓋した状態を示す。クッション装置３０は桶体１０の連接台１４の容置孔１８内に設置され、かつ頂棒３５の柔かいキャップ３８が設けられてある一端は蓋２０の枢接台２１の当接部２５に当接してある。その蓋２０の自重によってクッション装置３０内のばね３２の押す力を克服することができるので、蓋２０は平穏に桶体１０に被せることができる。
【００１７】
図５及び図６を参照するに、ペダル１２を踏み下ろすと、そのペダル１２は連接棒２４を連動して上昇させ、蓋２０は桶体１０に相対してスイングして開きの状態になる。クッション装置３０の頂棒３５が蓋２０の重さを失うと、ばね３２はバルブ３３を押し上げるが、本体３１内には粘性を有する液体が入れてあるので、バルブ３３の上側空間内の液体はバルブ３３の中央に設けられてある流道３３１からゆっくり下側の空間に流れ込まなければならなく、バルブ３３の本体３１内に軸方向移動の抵抗力が形成し、頂棒３５は緩やかな速度で外へ伸び出す。蓋２０はいかなる抵抗力を受けないので、迅速に開いて桶体１０内へのごみの投入が可能となる。
【００１８】
図７及び図８を参照するに、足をペダル１２から離すと蓋２０は自重によって下へスイングする。下へスイングする途中で、蓋２０の枢接台２１の当接部２５は先にクッション装置３０と接触するので、直接に桶体１０に覆い被さることは起きず、大きな音も出ない。クッション装置３０の頂棒３５は軟質キャップ３８をもって蓋２０の枢接台２１の当接部２５に接触し、その蓋２０自身の自重によって発生する下への圧力はクッション装置３０の頂棒３５を押し下げてバルブ３３を下へ移動し、バルブ３３の下側空間内の液体はバルブ３３の中央に設けられてある流道３３１からゆっくり上側の空間に流れ込まなければならなく、このような抵抗力は蓋２０を緩やかに降下させる。蓋２０が桶体１０を蓋するときはやかましい騒音を発生することない。これは、それは極めて進歩性のある構成である。
【実施例２】
【００１９】
図９は本発明の実施例２になるクッション装置を備えたごみ桶を分解して示す。本実施例のクッション装置は大略前述の実施例１と同じであり、違うところは蓋２０の枢接台２１の当接部２６の設計が違うだけである。本実施例に於いて、その当接部２６はリブ状シートの設計に実施され、それは同じくクッション装置３０に当接することができる。
【実施例３】
【００２０】
図１０は本発明の実施例３になるクッション装置を備えたごみ桶を分解して示す。本実施の主要と前述実施例１との違いは蓋２０の枢接台２１の当接部２７の設計が違うことである。本実施例に於いて、枢接台２１の底端は平面に形成され、その平面は直接当接部２７に使われる。
【実施例４】
【００２１】
図１１は本発明の実施例４になるクッション装置を備えたごみ桶を分解して示す。本実施例と前述実施例１との違いはクッション装置３０の設置位置の違いである。その桶体１０の連接台１４の平台１５両側にはそれぞれ当接部１９が形成され、蓋２０の枢接台２１の底端両側にはそれぞれ容置孔２８が設けられ、その容置孔２８はクッション装置３０の取り付けに供され、これによってクッションの効果を得ることができる。
【実施例５】
【００２２】
図１２は本発明の実施例５になるクッション装置４０を示す。前述実施例との差異はクッション装置４０の構造設計の違いである。そのクッション装置４０は、本体４１と、ばね４２と、バルブ４３と、覆い４４と、頂棒４５と、嵌め付け部材４６とを有する。本体４１は、略筒状であり、一端は開放され、他端には孔４７が設けられ、孔４７内にはスチール・ボール４８が取り付けられて本体４１は閉鎖状に形成され、本体４１内には粘性を有する液体が入れられてあり、ばね４２は本体４１内に設置されてある。そのバルブ４３はばね４２と接触し、かつ本体４１内において軸方向に移動することができる。その覆い４４は本体４１の開放端に設置され、覆い４４とバルブ４３の間にはストッパー４９が設けられ、そのストッパー４９は軟質の材料から作られ、覆い４４が受けるばね４２の上押しの力を緩和することができる。頂棒４５は覆い４４とストッパー４９を貫き通してそれの一端はバルブ４３に接触し、他端は本体４１の外側に伸び出す。嵌め付け部材４６は本体４１の外部に組みつけられ、頂棒４５は嵌め付け部材４６内に当接している。本体４１の嵌め付け部材４６と違う一端には更にパッキン４１１が設けてある。本実施例に於いてその嵌め付け部材４６には本体４１がその嵌め付け部材４６から脱出しないようにＣ形スナップが設けられてある。
【００２３】
図１３及び図１４を参照するに、蓋２０が下へ落ちると、当接部２５はそのクッション装置４０の本体４１に当たって本体４１は下へ移動し、このときバルブ４３の上側空間にある液体は本体４１とそのバルブ４３間の隙間からバルブ４３の下側空間に流れ込み、これは本体４１が下へ移動する抵抗力となり、この抵抗力によって蓋２０は緩やかに下落し、蓋２０が本体４１に蓋するときに発生する騒音を有効に避けることができる。
【実施例６】
【００２４】
図１５は本発明の実施例６になるクッション装置５０を示す。このクッション装置５０の前述実施例との差異は構造設計である。クッション装置５０は、本体５１と、ばね５２と、上押し部材５３とを有する。その本体５１は、略筒状であり、その一端は開放状であり、他端には気孔５４が設けられて微量の空気の流通に供される。ばね５２は本体５１内に取り付けてある。上押し部材５３は位置決めブロック５５によってばね５２に接触し、かつその上押し部材５３は本体５１内で軸方向に移動することができる。その上押し部材５３の外へ伸び出る一端にはパッキン５６が設けられ、そのパッキン５６は当接部２５に接触する。
【００２５】
図１６及び図１７を参照するに、蓋２０が開けられると、ばね５２は上押し部材５３を押し上げ、本体５１外部の空気は気孔５４からその本体５１内に吸い込まれる。蓋２０が下へ落ちると、当接部２５はその上押し部材５３を押して下へ降下し、本体５１内の空気はその気孔５４から本体５１外に排出され、クッションの効果が達成される。本実施例は同じく蓋２０を緩やかに本体４１に蓋し、かつ有効に騒音を防ぐことができる。本実施例に於いて本体４１にはＣ形スナップ５７が設けられてその上押し部材５３が本体４１から脱出しないように保持している。そのＣ形スナップ５７は鉄線から折り曲げ成型される。
【実施例７】
【００２６】
図１８は本発明の実施例２になるクッション装置を備えたごみ桶を分解して示す。図１９はクッション装置を示す。本実施例と前述実施例の違いはクッション装置６０の設計の違いである。そのクッション装置６０は、回転ホイール６１と、ラック６２とを有する。回転ホイール６１内には粘性を有する液体が入れられ、かつ回転ホイール６１の外周には歯形が設けられてラック６２と互いに噛み合うことができ、そのラック６２は弧形に設計されてある。その回転ホイール６１は桶体１０の連接部１４に取り付けられ、そのラック６２は蓋２０の枢接台２１の下側から伸び出し、かつラック６２と枢接台２１の間には補強の壁面６３が設けられ、本実施例に於いてそのラック６２は当接部２６から伸び出している。
【００２７】
図２０及び図２１は上記のクッション装置６０の動作を示す。蓋２０が下へ落ちると回転ホイール６１に噛み合っているラック６２はその回転ホイール６１を押しまわし、回転ホイール６１の緩やかな回転は蓋２０が落ちるときの抵抗力になり、蓋２０が緩やかに下がる効果が発生し、蓋２０が桶体１０に蓋するときに発生する騒音を効果的に避けることができる。
【図面の簡単な説明】
【００２８】
【図１】本発明の実施例１になるクッション装置を備えたごみ桶の立体分解外観図である。
【図２】クッション装置の立体外観分解図である。
【図３】蓋が閉じている状態のごみ桶の断面図である。
【図４】図３中、円で囲んだ部分を拡大して示す図である。
【図５】ペダルを踏み下げて蓋が開かれた状態のごみ桶の断面図である。
【図６】図５中、円で囲んだ部分を拡大して示す図である。
【図７】足をペダルから離したときの状態のごみ桶の断面図である。
【図８】図７中、円で囲んだ部分を拡大して示す図である。
【図９】本発明の実施例２になるクッション装置を備えたごみ桶の立体分解外観図である。
【図１０】本発明の実施例３になるクッション装置を備えたごみ桶の立体分解外観図である。
【図１１】本発明の実施例４になるクッション装置を備えたごみ桶の立体分解外観図である。
【図１２】本発明の実施例５になるクッション装置の立体外観分解図である。
【図１３】蓋が開いているときのクッション装置の拡大断面図である。
【図１４】蓋が閉じているときのクッション装置の拡大断面図である。
【図１５】本発明の実施例６になるクッション装置の立体外観分解図である。
【図１６】蓋が開いているときのクッション装置の拡大断面図である。
【図１７】蓋が閉じているときのクッション装置の拡大断面図である。
【図１８】本発明の実施例７になるクッション装置を備えたごみ桶の立体分解外観図である。
【図１９】蓋が開いて状態における図１８のクッション装置の拡大断面図である。
【図２０】蓋が閉じ途中における図１８のクッション装置の拡大断面図である。
【図２１】蓋が閉じた状態における図１８のクッション装置の拡大断面図である。
【図２２】従来の足踏み型ごみ桶を分解して示す図である。
【符号の説明】
【００２９】
１０  桶体
１１  底台
１２  ペダル
１３  端口
１４  連接台
１５  平台
１６  凹溝
１７  凹孔
１８  容置孔
１９  当接部
２０  蓋
２１  枢接台
２２  枢部
２３  引きずり部
２４  連棒
２５  当接部
２６  当接部
２７  当接部
２８  容置孔
２９  取っ手
３０  クッション装置
３１  本体
３２  ばね
３３  バルブ
３３１    流道
３３２    環溝
３３３  バルブ室
３４  覆い
３５  頂棒
３６  閉鎖部材
３７  Ｏ−リング
３８  軟質キャップ
３９  阻止環
４０  クッション装置
４１  本体
４１１  パッキン
４２  ばね
４３  バルブ
４４  覆い
４５  頂棒
４６  嵌め付け部材
４７  孔
４８  スチール・ボール
４９  ストッパー
５０  クッション装置
５１  本体
５２  ばね
５３  上押し部材
５４  気孔
５５  定位置ブロック
５６  パッキン
５７  Ｃ形スナップ
６０  クッション装置
６１  回転ホイール
６２  ラック
６３  壁面
【図１】
2006321588.tif 000003
【図２】
2006321588.tif 000004
【図３】
2006321588.tif 000005
【図４】
2006321588.tif 000006
【図５】
2006321588.tif 000007
【図６】
2006321588.tif 000008
【図７】
2006321588.tif 000009
【図８】
2006321588.tif 000010
【図９】
2006321588.tif 000011
【図１０】
2006321588.tif 000012
【図１１】
2006321588.tif 000013
【図１２】
2006321588.tif 000014
【図１３】
2006321588.tif 000015
【図１４】
2006321588.tif 000016
【図１５】
2006321588.tif 000017
【図１６】
2006321588.tif 000018
【図１７】
2006321588.tif 000019
【図１８】
2006321588.tif 000020
【図１９】
2006321588.tif 000021
【図２０】
2006321588.tif 000022
【図２１】
2006321588.tif 000023
【図２２】
2006321588.tif 000024